(57)【要約】【課題】  半導体集積回路における寄生回路の動作を有効に抑制する。【解決手段】  制御部１１０Ａが、車両制御部４２０から送られたドアロック指令又はドアアンロック指令が行われた旨の報告を、半導体集積回路であるパワー増幅器２１０において、信号接地端子ＳＧとパワー接地端子ＰＧとの間に電位差が発生すると、寄生回路を動作させる可能性があるノイズの発生の予兆として検出する。かかる予兆が検出されると、制御部１１０Ａは、スイッチ部１２０を短絡状態とし、当該ノイズの発生に備える。この結果、信号接地端子ＳＧとパワー接地端子ＰＧとの間のインピーダンスが、直流的及び交流的に、実質的に「０」となり、当該ノイズが発生したとしても、信号接地端子ＳＧの電位と、パワー接地端子ＰＧの電位とが、実質的に同電位に維持される。【選択図】  図１
2013150023.tif 000002
【特許請求の範囲】
【請求項１】
電位差が発生すると内部的な寄生回路が動作する可能性がある第１内部部位及び第２内部部位のそれぞれに導通している第１端子及び第２端子を有する半導体集積回路の寄生回路動作抑制装置であって、
前記第１端子に接続された一方側端子と、前記第２端子に接続された他方側端子とを有し、前記一方側端子と前記他方側端子とを、短絡状態又は開放状態とするスイッチ部と；
前記寄生回路を動作させる可能性があるノイズの発生の予兆を検出したときに、前記スイッチ部の前記一方側端子と前記他方側端子とを前記短絡状態とさせる制御部と；
を備えることを特徴とする寄生回路動作抑制装置。
【請求項２】
前記制御部は、前記スイッチ部の前記一方側端子と前記他方側端子とを前記短絡状態とさせた後、前記ノイズの発生期間長として予め定められている時間が経過したときに、前記スイッチ部の前記一方側端子と前記他方側端子とを前記開放状態とさせる、ことを特徴とする請求項１に記載の寄生回路動作抑制装置。
【請求項３】
前記制御部は、前記スイッチ部の前記一方側端子と前記他方側端子とを前記短絡状態とさせた後、前記ノイズのレベルが、前記寄生回路が動作しないレベルにまで低減したことが検出されたときに、前記スイッチ部の前記一方側端子と前記他方側端子とを前記開放状態とさせる、ことを特徴とする請求項１に記載の寄生回路動作抑制装置。
【請求項４】
前記第１端子は、動作電源電圧の基準となるパワー用接地端子であり、
前記第２端子は、信号レベルの基準となる信号用接地端子である、
ことを特徴とする請求項１〜３のいずれか一項に記載の寄生回路動作抑制装置。
【請求項５】
電位差が発生すると内部的な寄生回路が動作する可能性がある第１内部部位及び第２内部部位のそれぞれに導通している第１端子及び第２端子を有する半導体集積回路に対応して配設され、前記第１端子に接続された一方側端子と、前記第２端子に接続された他方側端子とを有し、前記一方側端子と前記他方側端子とを、短絡状態又は開放状態とするスイッチ部を備える寄生回路動作抑制装置において使用される寄生回路動作抑制方法であって、
前記寄生回路を動作させる可能性があるノイズの発生の予兆を検出する検出工程と；
前記検出工程において前記予兆が検出されたときに、前記スイッチ部の前記一方側端子と前記他方側端子とを前記短絡状態とさせる制御工程と；
を備えることを特徴とする寄生回路動作抑制方法。
【請求項６】
請求項５に記載の寄生回路動作抑制方法を演算手段に実行させる、ことを特徴とする寄生回路動作抑制プログラム。
【請求項７】
請求項６に記載の寄生回路動作抑制プログラムが、演算手段により読み取り可能に記録されている、ことを特徴とする記録媒体。
【発明の詳細な説明】
【技術分野】
【０００１】
本発明は、寄生回路動作抑制装置、寄生回路動作抑制方法及び寄生回路動作抑制プログラム、並びに、当該寄生回路動作抑制プログラムが記録された記録媒体に関する。
【背景技術】
【０００２】
通常の半導体集積回路では、最低電位となるべき内部部位が決められており、他の内部部位が、当該最低電位となるべき内部部位の電位よりも低くなると、両内部部位間にある寄生トランジスタが動作する現象、いわゆるラッチアップ現象が発生する。こうしたラッチアップ現象が発生すると、半導体集積回路が誤動作し、極端な場合には、半導体集積回路の破壊に至る。
【０００３】
このため、半導体集積回路におけるラッチアップ現象の発生を防止するために、半導体集積回路の内部に、寄生トランジスタ等の寄生回路の動作を抑制するための保護回路を配設する技術が提案されている（特許文献１参照：以下、「従来例」と呼ぶ）。この従来例の技術では、電位差の発生により寄生トランジスタが動作する可能性があり、本来は同電位に維持されるべき内部部位間に、ショットキーバリアダイオード等による保護回路を配設するようになっている。
【先行技術文献】
【特許文献】
【０００４】
【特許文献１】特開２００２−１６２５４号公報
【発明の概要】
【発明が解決しようとする課題】
【０００５】
上述した従来例の技術では、半導体集積回路内に保護回路を形成する。この結果、当該保護回路は小規模とならざるを得ない。
【０００６】
したがって、高パワーのノイズが侵入すると、動作中において実質的に同電位であることが期待されている端子間、すなわち、それぞれの端子と導通している内部部位間における電位差の発生に伴う寄生回路の動作の抑制を十分にはできない事態が想定される。かかる事態が発生すると、ラッチアップ現象が発生し、半導体集積回路の誤動作や破壊を招く可能性があった。
【０００７】
このため、高パワーのノイズの侵入が半導体集積回路に侵入しても、当該半導体集積回路の誤動作や破壊を招く寄生回路の動作を有効に抑制することができる技術が望まれている。かかる要請に応えることが、本発明が解決すべき課題の一つとして挙げられる。
【０００８】
本発明は、上記の事情に鑑みてなされたものであり、半導体集積回路における寄生回路の動作を有効に抑制することができる寄生回路動作抑制装置及び寄生回路動作抑制方法を提供することを目的とする。
【課題を解決するための手段】
【０００９】
請求項１に記載の発明は、電位差が発生すると内部的な寄生回路が動作する可能性がある第１内部部位及び第２内部部位のそれぞれに導通している第１端子及び第２端子を有する半導体集積回路の寄生回路動作抑制装置であって、前記第１端子に接続された一方側端子と、前記第２端子に接続された他方側端子とを有し、前記一方側端子と前記他方側端子とを、短絡状態又は開放状態とするスイッチ部と；前記寄生回路を動作させる可能性があるノイズの発生の予兆を検出したときに、前記スイッチ部の前記一方側端子と前記他方側端子とを前記短絡状態とさせる制御部と；を備えることを特徴とする寄生回路動作抑制装置である。
【００１０】
請求項５に記載の発明は、電位差が発生すると内部的な寄生回路が動作する可能性がある第１内部部位及び第２内部部位のそれぞれに導通している第１端子及び第２端子を有する半導体集積回路に対応して配設され、前記第１端子に接続された一方側端子と、前記第２端子に接続された他方側端子とを有し、前記一方側端子と前記他方側端子とを、短絡状態又は開放状態とするスイッチ部を備える寄生回路動作抑制装置において使用される寄生回路動作抑制方法であって、前記寄生回路を動作させる可能性があるノイズの発生の予兆を検出する検出工程と；前記検出工程において前記予兆が検出されたときに、前記スイッチ部の前記一方側端子と前記他方側端子とを前記短絡状態とさせる制御工程と；を備えることを特徴とする寄生回路動作抑制方法である。
【００１１】
請求項６に記載の発明は、請求項５に記載の寄生回路動作抑制方法を演算手段に実行させる、ことを特徴とする寄生回路動作抑制プログラムである。
【００１２】
請求項７に記載の発明は、請求項６に記載の寄生回路動作抑制プログラムが、演算手段により読み取り可能に記録されている、ことを特徴とする記録媒体である。
【図面の簡単な説明】
【００１３】
【図１】本発明の第１実施形態に係る寄生回路動作抑制装置の概略的な構成を示す図である。
【図２】図１の装置による寄生回路動作抑制処理を説明するためのフローチャートである。
【図３】本発明の第２実施形態に係る寄生回路動作抑制装置の概略的な構成を示す図である。
【図４】図３の装置による寄生回路動作抑制処理を説明するためのフローチャートである。
【発明を実施するための形態】
【００１４】
以下、本発明の実施形態を、添付図面を参照して説明する。なお、以下の説明及び図面においては、同一又は同等の要素には同一の符号を付し、重複する説明を省略する。
【００１５】
［第１実施形態］
まず、本発明の第１実施形態を、図１及び図２を参照して説明する。
【００１６】
＜構成＞
図１には、第１実施形態に係る寄生回路動作抑制装置１００Ａの概略的な構成が示されている。この図１に示されるように、寄生回路動作抑制装置１００Ａは、車両内に配設され、スピーカ３２０を駆動するトランク増幅装置２００Ａに実装される。
【００１７】
上記のトランク増幅装置２００Ａは、寄生回路動作抑制装置１００Ａに加えて、パワー増幅器２１０を備えている。さらに、トランク増幅装置２００Ａは、シャーシ部材２９０を備えている。
【００１８】
上記のパワー増幅器２１０は、半導体集積回路となっている。このパワー増幅器２１０は、信号入力端子ＳＩ、信号出力端子ＳＯ、信号接地端子ＳＧ及びパワー接地端子ＰＧを有している。なお、パワー増幅器２１０は、パワー接地端子ＰＧと対となって、動作電力が供給される不図示の電源電圧入力端子を更に有している。
【００１９】
パワー増幅器２１０は、音声信号生成部３１０から送られた音声信号を、信号入力端子ＳＩで受ける。そして、パワー増幅器２１０は、信号入力端子ＳＩで受けた音声信号をパワー増幅し、その増幅結果を、信号出力端子ＳＯから、配線部材３２５を介してスピーカ３２０へ送る。
【００２０】
ここで、例えば、放送音声をスピーカ３２０から出力する場合には、音声信号生成部３１０は、アンテナ部、チューナ部、復調部等を備えて構成される。また、例えば、ＣＤ（Compact Disk）、ＤＶＤ（Digital Versatile Disk）等に収納された音源データに対応する音声をスピーカ３２０から出力する場合には、音声信号生成部３１０は、ディスクドライブ装置、デジタル信号処理部等を備えて構成される。
【００２１】
上記のシャーシ部材２９０は、内部に、寄生回路動作抑制装置１００Ａ及びパワー増幅器２１０を収納する金属製のシャーシとなっている。このシャーシ部材２９０には、信号接地端子ＳＧ及びパワー接地端子ＰＧが、配線部材を介して一点接地される端子ＣＧが設けられている。ここで、信号接地端子ＳＧとパワー接地端子ＰＧとを、端子ＣＧを介して接続しているのは、信号出力端子ＳＯから出力される信号に伴う信号出力系の電流が、信号入力端子ＳＩに入力する信号に関連する入力信号系に影響を及ぼしてしまうことを防止するためである。
【００２２】
なお、本第１実施形態では、端子ＣＧは、配線等の事情により、信号接地端子ＳＧ及びパワー接地端子ＰＧから離隔した位置に設けられている。
【００２３】
ところで、上述したパワー増幅動作に際して、パワー接地端子ＰＧには多くの電流が流れることになる。このため、本第１実施形態では、パワー接地端子ＰＧと導通する内部部位は、パワー増幅器２１０の内部において最低電位となるべき部位となっている。
【００２４】
また、本第１実施形態では、パワー接地端子ＰＧと導通する内部部位と、信号接地端子ＳＧと導通する内部部位とは同電位であることが期待されている。そして、上述したように、信号接地端子ＳＧとパワー接地端子ＰＧとは、配線部材を介してシャーシ部材２９０の端子ＣＧにおいて接続されるので、パワー増幅器２１０の信号接地端子ＳＧとパワー接地端子ＰＧとの間のインピーダンスは、直流的には実質的には「０」となっている。
【００２５】
しかしながら、上述したように、本第１実施形態では、信号接地端子ＳＧとパワー接地端子ＰＧとが配線部材を介して接続される端子ＣＧは、信号接地端子ＳＧ及びパワー接地端子ＰＧから離隔した位置に設けられている。このため、信号接地端子ＳＧとパワー接地端子ＰＧとの間には、交流的にはインピーダンスがある程度の値を有するようになっている。
【００２６】
なお、トランク増幅装置２００Ａが配設される車両には、操作入力部４１０への利用者による各種の指令入力に応答して、車両の設備の動作を制御する車両制御部４２０が搭載されている。かかる車両制御部４２０が動作を制御する車両設備の１つとして、本第１実施形態では、電流駆動方式のドアロックアクチュエータ４３０がある。
【００２７】
このドアロックアクチュエータ４３０は、配線部材４２５を介した車両制御部４２０による電流駆動により、ドアロック動作又はドアアンロック動作を行う。ここで、配線部材４２５は、本第１実施形態においては、長い距離を、上述した配線部材３２５と結束されて、ワイヤハーネスの状態で車内を引き回されるようになっている。
【００２８】
この車両制御部４２０は、操作入力部４１０から、ドアロック指令又はドアアンロック指令が入力された旨の報告を受けると、その旨を寄生回路動作抑制装置１００Ａ（より詳しくは、後述する制御部１１０Ａ）へ送るとともに、配線４２５を介して、ドアロックアクチュエータ４３０を電流駆動し、ドアロック動作又はドアアンロック動作を行わせる。ここで、ドアロックアクチュエータ４３０に対してドアロック動作又はドアアンロック動作を行わせるためには、配線部材４２５に瞬時的に大電流を流すことが必要となる。
【００２９】
このため、配線４２５が配線部材３２５と結束されて、ワイヤハーネスの状態で車内を、長い距離にわたって引き回される本第１実施形態の場合には、ドアロックアクチュエータ４３０がドアロック動作又はドアアンロック動作を行う際に、配線部材３２５を介して、高パワーのノイズが、信号出力端子ＳＯからパワー増幅器２１０の内部へ侵入することになる。こうしてパワー増幅器２１０の内部へ侵入したノイズは、最終的には、信号接地端子ＳＧ又はパワー接地端子ＰＧ、配線部材を介して、シャーシ部材２９０に吸収される。
【００３０】
しかしながら、配線部材３２５を介した高パワーのノイズのパワー増幅器２１０への侵入は、信号接地端子ＳＧとパワー接地端子ＰＧとの間に電位差を瞬時的に発生させる要因となる。そして、信号接地端子ＳＧとパワー接地端子ＰＧとの間の電位差が大きくなると、信号接地端子ＳＧとパワー接地端子ＰＧとの間の寄生回路が動作し、いわゆるラッチアップ現象の発生に至る可能性がある。
【００３１】
次に、上述したような周囲環境のもとで動作する本第１実施形態に係る寄生回路動作抑制装置１００Ａの構成について、説明する。図１に示されるように、寄生回路動作抑制装置１００Ａは、制御部１１０Ａと、スイッチ部１２０とを備えている。
【００３２】
上記の制御部１１０Ａは、タイマー機能を有するように構成されている。この制御部１１０Ａは、車両制御部４２０から送られたドアロック指令又はドアアンロック指令が入力された旨の報告を受ける。そして、制御部１１０Ａは、パワー増幅器２１０におけるラッチアップ現象の発生につながる可能性がある寄生回路の動作を抑制するために、寄生回路動作抑制処理を実行し、スイッチ部１２０の動作を制御する。かかる寄生回路動作抑制処理の詳細については、後述する。
【００３３】
上記のスイッチ部１２０は、端子ａ及び端子ｂを有しており、制御部１１０Ａによる制御のもとで、端子ａと端子ｂとを短絡及び開放のいずれかの状態とするスイッチング動作を行う。このスイッチ部１２０は、パワー増幅器２１０の近傍に配置されている。そして、端子ａが、パワー増幅器２１０の信号接地端子ＳＧと接続されるとともに、端子ｂが、パワー増幅器２１０のパワー接地端子ＰＧと接続されている。
【００３４】
なお、本第１実施形態では、迅速なスイッチング動作を実現するために、スイッチ部１２０は、スイッチ素子として、ＦＥＴ（Field Effect Transistor）を採用している。そして、信号接地端子ＳＧ及びパワー接地端子ＰＧの電位変動として想定される最大の電位変動が起こったとしても、スイッチ部１２０におけるスイッチ素子の動作制御のために制御部１１０Ａから送られるスイッチ制御信号のレベルは、スイッチ素子（ＦＥＴ）の「ＯＮ（短絡状態）」と「ＯＦＦ（開放状態）」との間を確実に遷移させることができる電位レベル間を迅速に遷移するようになっている。
【００３５】
＜動作＞
次に、上記のように構成された寄生回路動作抑制装置１００Ａの動作について、制御部１１０Ａで実行される寄生回路動作抑制処理に主に着目して説明する。
【００３６】
寄生回路動作抑制処理に際しては、図２に示されるように、まず、ステップＳ１１において、制御部１１０Ａが、ドアロック指令が入力された旨の報告を受けたか否かを判定することにより、利用者によるドアロック指令が行われたか否かを判定する。ステップＳ１１における判定の結果が否定的であった場合（ステップＳ１１：Ｎ）には、処理はステップＳ１２へ進む。
【００３７】
ステップＳ１２では、制御部１１０Ａが、ドアアンロック指令が入力された旨の報告を受けたか否かを判定することにより、利用者によるドアアンロック指令が行われたか否かを判定する。この判定の結果が否定的であった場合（ステップＳ１２：Ｎ）には、処理はステップＳ１１へ戻る。以後、ステップＳ１１及びステップＳ１２の処理が繰り返される。
【００３８】
利用者によるドアロック指令又はドアアンロック指令が行われ、ステップＳ１１又はステップＳ１２における判定の結果が肯定的となると（ステップＳ１１：Ｙ、又は、ステップＳ１２：Ｙ）、処理はステップＳ１３へ進む。このステップＳ１３では、制御部１１０Ａが、直ちに、短絡状態とすべき旨のスイッチ制御信号を生成し、生成されたスイッチ制御信号をスイッチ部１２０へ送ることにより、スイッチ部１２０に対して短絡指定を行う。この結果、スイッチ部１２０は短絡状態となり、パワー増幅器２１０の信号接地端子ＳＧとパワー接地端子ＰＧとの間のインピーダンスが、交流的にも実質的に「０」となる。
【００３９】
こうして現出された状態では、配線３２５を介して、高パワーのノイズが、信号出力端子ＳＯからパワー増幅器２１０の内部へ侵入し、パワー増幅器２１０の信号接地端子ＳＧの電位とパワー接地端子ＰＧの電位との間に電位差が生じたとしても、当該電位差は極僅かとなる。このため、信号接地端子ＳＧとパワー接地端子ＰＧとの間の寄生回路の動作が有効に抑制される。
【００４０】
引き続き、ステップＳ１４において、制御部１１０Ａが、スイッチ部１２０に対して短絡指定を行った後、時間ＴＨが経過したか否かを判定する。ここで、時間ＴＨは、ドアロック指令又はドアアンロック指令が行われてから、車両制御部４２０が、配線部材４２５を介した電流駆動によるドアアクチュエータ４３０の駆動が確実に終了するまでの時間であり、実験、シミュレーション、経験等に基づいて予め定められる。
【００４１】
ステップＳ１４における判定の結果が否定的であった場合（ステップＳ１４：Ｎ）には、ステップＳ１４の処理が繰り返される。そして、時間ＴＨが経過し、ステップＳ１４における判定の結果が肯定的となると（ステップＳ１４：Ｙ）、処理はステップＳ１５へ進む。
【００４２】
ステップＳ１５では、制御部１１０Ａが、開放状態とすべき旨のスイッチ制御信号を生成し、生成されたスイッチ制御信号をスイッチ部１２０へ送ることにより、スイッチ部１２０に対して開放指定を行う。この結果、スイッチ部１２０は開放状態となり、パワー増幅器２１０の信号接地端子ＳＧとパワー接地端子ＰＧとは、シャーシ部材２９０に設けられた端子ＣＧを介して接続される状態に復帰する。そして、処理はステップＳ１１へ戻る。
【００４３】
以後、ステップＳ１１〜Ｓ１５の処理が繰り返される。この結果、パワー増幅器２１０の信号接地端子ＳＧとパワー接地端子ＰＧとの間の寄生回路の動作によるラッチアップ現象の要因となり得るノイズ発生の予兆として、利用者によるドアロック指令又はドアアンロック指令が行われたことを検出するたびに、制御部１１０Ａが、ノイズ発生期間にわたって、寄生回路の動作を抑制し、ラッチアップ現象の発生を防止する。
【００４４】
以上説明したように、本第１実施形態では、制御部１１０Ａが、パワー増幅器２１０の信号接地端子ＳＧとパワー接地端子ＰＧとの間の寄生回路を動作させる可能性があるノイズの発生の予兆である利用者によるドアロック指令又はドアアンロック指令が行われたことを検出すると、スイッチ部１２０を短絡状態とし、当該ノイズの発生に備える。この結果、信号接地端子ＳＧとパワー接地端子ＰＧとの間のインピーダンスが、直流的及び交流的に、実質的に「０」となり、当該ノイズが発生したとしても、信号接地端子ＳＧの電位と、パワー接地端子ＰＧの電位とが、実質的に同電位に維持される。
【００４５】
したがって、本第１実施形態によれば、半導体集積回路であるパワー増幅器２１０における寄生回路の動作を有効に抑制することができる。
【００４６】
［第２実施形態］
次に、本発明の第２実施形態を、図３及び図４を参照して説明する。
【００４７】
＜構成＞
図３には、第２実施形態に係る寄生回路動作抑制装置１００Ｂの概略的な構成が示されている。この図３に示されるように、寄生回路動作抑制装置１００Ｂは、上述した第１実施形態の寄生回路動作抑制装置１００Ａと同様の周囲環境中に配設される。そして、寄生回路動作抑制装置１００Ｂは、寄生回路動作抑制装置１００Ａと比べて、制御部１１０Ａに代えて制御部１１０Ｂを備える点が異なっている。以下、これらの相違点に主に着目して説明する。
【００４８】
なお、寄生回路動作抑制装置１００Ａに代えて寄生回路動作抑制装置１００Ｂを備えることから、寄生回路動作抑制装置１００Ｂを備えるトランク増幅装置を、「トランク増幅装置２００Ｂ」と記すものとする。
【００４９】
上記の制御部１１０Ｂは、車両制御部４２０により配線４２５を介して行われるドアロックアクチュエータ４３０の駆動に際しての駆動電流（以下、単に、「駆動電流」とも呼ぶ）の監視を行う。そして、制御部１１０Ｂは、パワー増幅器２１０におけるラッチアップ現象の発生につながる可能性がある寄生回路の動作を抑制するため、当該監視の結果に応じて寄生回路動作抑制処理を実行し、スイッチ部１２０の動作を制御する。かかる寄生回路動作抑制処理の詳細については、以下に述べる。
【００５０】
＜動作＞
次に、上記のように構成された寄生回路動作抑制装置１００Ｂの動作について、制御部１１０Ｂで実行される寄生回路動作抑制処理に主に着目して説明する。
【００５１】
寄生回路動作抑制処理に際しては、図４に示されるように、まず、ステップＳ２１において、制御部１１０Ｂが、駆動電流値が第１所定範囲を超えたか否かを判定することにより、ドアロックアクチュエータ４３０の駆動が開始されたか否かを判定する。ここで、「第１所定範囲」は、配線３２５を介してパワー増幅器２１０の内部への侵入するノイズが、パワー増幅器２１０の信号接地端子ＳＧとパワー接地端子ＰＧとの間の寄生回路の動作によるラッチアップ現象を引き起こす前に、ドアロックアクチュエータ４３０の駆動が開始されたことを適切に判別するとの観点から、実験、シミュレーション、経験等に基づいて予め定められる。
【００５２】
ステップＳ２１における判定の結果が否定的であった場合（ステップＳ２１：Ｎ）には、ステップＳ２１の処理が繰り返される。そして、ステップＳ２１における判定の結果が肯定的となると（ステップＳ２１：Ｙ）、処理はステップＳ２２へ進む。このステップＳ２２では、上述したステップＳ１３（図２参照）の場合と同様に、制御部１１０Ｂが、直ちに、短絡状態とすべき旨のスイッチ制御信号を生成し、生成されたスイッチ制御信号をスイッチ部１２０へ送ることにより、スイッチ部１２０に対して短絡指定を行う。この結果、スイッチ部１２０は短絡状態となり、パワー増幅器２１０の信号接地端子ＳＧとパワー接地端子ＰＧとの間のインピーダンスが、交流的にも実質的に「０」となる。
【００５３】
次いで、ステップＳ２３において、制御部１１０Ｂが、駆動電流値が第２所定範囲内となったかを判定することにより、ドアロックアクチュエータ４３０の駆動が終了したか否かを判定する。ここで、「第２所定範囲」は、ドアロックアクチュエータ４３０の駆動が終了し、パワー増幅器２１０の信号接地端子ＳＧとパワー接地端子ＰＧとの間の寄生回路が動作しないレベルにまで、発生ノイズレベルが低減したことを適切に判別するとの観点から、実験、シミュレーション、経験等に基づいて予め定められる。
【００５４】
ステップＳ２３における判定の結果が否定的であった場合（ステップＳ２３：Ｎ）には、ステップＳ２３の処理が繰り返される。そして、ステップＳ２３における判定の結果が肯定的となると（ステップＳ２３：Ｙ）、処理はステップＳ２４へ進む。このステップＳ２４では、上述したステップＳ１５（図２参照）の場合と同様に、制御部１１０Ｂが、開放状態とすべき旨のスイッチ制御信号を生成し、生成されたスイッチ制御信号をスイッチ部１２０へ送ることにより、スイッチ部１２０に対して開放指定を行う。この結果、スイッチ部１２０は開放状態となり、パワー増幅器２１０の信号接地端子ＳＧとパワー接地端子ＰＧとは、シャーシ部材２９０に設けられた端子ＣＧを介して接続される状態に復帰する。そして、処理はステップＳ２１へ戻る。
【００５５】
以後、ステップＳ２１〜Ｓ２４の処理が繰り返される。この結果、パワー増幅器２１０の信号接地端子ＳＧとパワー接地端子ＰＧとの間の寄生回路の動作によるラッチアップ現象の要因となり得るノイズ発生の予兆として、ドアロックアクチュエータ４３０の駆動の開始に伴ってドアロックアクチュエータ４３０の駆動電流が「第１所定範囲」を超えたことを検出するたびに、制御部１１０Ｂが、ドアロックアクチュエータ４３０の駆動の終了までのノイズ発生期間にわたって、寄生回路の動作を抑制し、ラッチアップ現象の発生を防止する。
【００５６】
以上説明したように、本第２実施形態では、制御部１１０Ｂが、パワー増幅器２１０の信号接地端子ＳＧとパワー接地端子ＰＧとの間の寄生回路を動作させる可能性があるノイズの発生の予兆であるドアロックアクチュエータ４３０の駆動電流の増加を検出すると、スイッチ部１２０を短絡状態とし、当該ノイズの発生に備える。この結果、信号接地端子ＳＧとパワー接地端子ＰＧとの間のインピーダンスが、直流的及び交流的に、実質的に「０」となり、当該ノイズが発生したとしても、信号接地端子ＳＧの電位と、パワー接地端子ＰＧの電位とが、実質的に同電位に維持される。
【００５７】
したがって、本第２実施形態によれば、半導体集積回路であるパワー増幅器２１０における寄生回路の動作を有効に抑制することができる。
【００５８】
［実施形態の変形］
本発明は、上記の実施形態に限定されるものではなく、様々な変形が可能である。
【００５９】
例えば、上記の第１及び第２実施形態では、スイッチ部がスイッチ素子としてＦＥＴを備えることにした。これに対し、スイッチ部が、スイッチ素子としてバイポーラトランジスタを備えるようにしてもよいし、リードリレーのような機械的なスイッチ素子を備えるようにしてもよい。
【００６０】
また、上記の第１実施形態では、車両制御部は、ドアロック指令又はドアアンロック指令が入力された旨の報告を受けた後、短時間で、ドアロックアクチュエータに対する電流駆動を開始することを想定した。これに対し、ドアロック指令又はドアアンロック指令が入力された旨の報告を受けた後、スイッチ部が確実に短絡状態になるまでの時間を待って、車両制御部が、ドアロックアクチュエータに対する電流駆動を開始するようにし、スイッチ部を短絡状態とするまでの時間に余裕を持たせるようにしてもよい。
【００６１】
また、上記の第１実施形態では、制御部は、ドアロック指令又はドアアンロック指令が入力された旨の報告を、パワー増幅器の信号接地端子とパワー接地端子との間の寄生回路を動作させる可能性があるノイズの発生の予兆として検出するようにした。これに対し、制御部は、第２実施形態の場合と同様に、ドアロックアクチュエータの駆動電流の増加を当該ノイズの発生の予兆として検出するようにしてもよい。
【００６２】
また、上記の第１実施形態では、制御部は、パワー増幅器の信号接地端子とパワー接地端子との間の寄生回路を動作させる可能性があるノイズの発生の予兆を検出した後に時間ＴＨが経過したことを検出することより、当該ノイズの発生期間の終了を検出するようにした。これに対し、制御部は、第２実施形態の場合と同様に、ドアロックアクチュエータの駆動電流が減少し、当該ノイズのパワーにより寄生回路が動作しないレベルにまで低減したことを検出することより、当該ノイズの発生期間の終了を検出するようにしてもよい。
【００６３】
また、上記の第１及び第２実施形態では、車両内に配設されるトランク増幅装置が備えるパワー増幅器を、寄生回路動作の抑制対象とする半導体集積回路としたが、他の種類の半導体集積回路を、本発明による寄生回路動作の抑制の対象とする半導体集積回路とすることができる。
【００６４】
また、上記の第１及び第２実施形態では、抑制対象となる寄生回路動作の要因となるノイズが、ドアロックアクチュエータの駆動電流により発生し得る場合を例示したが、他の要因により発生するノイズが、抑制対象となる寄生回路動作の要因となる場合にも、本発明を適用することができる。
【００６５】
なお、上記の第１又は第２実施形態における制御部をＣＰＵ（Central Processing Unit）等を備えた演算手段としてのコンピュータとして構成し、予め用意されたプログラムを当該コンピュータで実行することにより、上記の第１又は第２実施形態における制御部の処理を実行するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【符号の説明】
【００６６】
１００Ａ，１００Ｂ  …  寄生回路動作抑制装置
１１０Ａ，１１０Ｂ  …  制御部
１２０              …  スイッチ部
２１０              …  パワー増幅器（半導体集積回路）
ＰＧ                …  パワー接地端子（パワー用接地端子：第１端子）
ＳＧ                …  信号接地端子（信号用接地端子：第２端子）
【図１】
2013150023.tif 000003
【図２】
2013150023.tif 000004
【図３】
2013150023.tif 000005
【図４】
2013150023.tif 000006